(57)【要約】【課題】予め定められた地域における再生可能エネルギーを活用することができる電力制御装置、電力制御方法、及び電力制御プログラムを提供することである。【解決手段】実施形態の電力制御装置は、計画部と、制御部とを持つ。計画部は、再生可能エネルギーを利用して発電する発電装置と、電力を消費する負荷装置とを作動させる計画であって、負荷装置が電力を消費する時間帯を、電力を消費する時間帯として予め定められた時間帯とは異なる時間帯に変更することによって、発電装置が発電する時間帯と、発電装置が発電した電力を負荷装置が消費する時間帯とが同じとなる計画を、発電装置及び負荷装置が配置された地域について作成する。制御部は、発電装置が発電した電力を、作成された計画に基づいて負荷装置に消費させる。【選択図】図１
2016163488.tif 000002
【特許請求の範囲】
【請求項１】
再生可能エネルギーを利用して発電する発電装置と、電力を消費する負荷装置とを作動させる計画であって、前記負荷装置が電力を消費する時間帯を、電力を消費する時間帯として予め定められた時間帯とは異なる時間帯に変更することによって、前記発電装置が発電する時間帯と、前記発電装置が発電した電力を前記負荷装置が消費する時間帯とが同じとなる計画を、前記発電装置及び前記負荷装置が配置された地域について作成する計画部と、
前記発電装置が発電した電力を、作成された前記計画に基づいて前記負荷装置に消費させる制御部と、
を備える電力制御装置。
【請求項２】
前記計画部は、前記発電装置が発電する時間帯と、前記発電装置が発電した電力に基づくエネルギーを蓄エネルギー装置が蓄積する時間帯とが同じとなる計画を、前記発電装置及び前記蓄エネルギー装置が配置された地域について作成し、
前記制御部は、前記発電装置が発電した電力を、作成された前記計画に基づいて前記蓄エネルギー装置に蓄積させる、請求項１に記載の電力制御装置。
【請求項３】
前記制御部は、前記蓄エネルギー装置に蓄積されたエネルギーに基づく電力を、前記発電装置が発電する時間帯とは異なる時間帯に、前記負荷装置に消費させる、請求項２に記載の電力制御装置。
【請求項４】
前記計画部によって作成された前記計画を、前記負荷装置が消費した電力の値に基づいて修正する修正部
を更に備える請求項１から請求項３のいずれか一項に記載の電力制御装置。
【請求項５】
前記修正部は、前記発電装置の発電量及び前記負荷装置の消費電力量の計画値と、前記発電装置の発電量及び前記負荷装置の消費電力量の実績値との差が閾値未満となるように、前記計画を修正する、請求項４に記載の電力制御装置。
【請求項６】
電力制御装置における電力制御方法であって、
再生可能エネルギーを利用して発電する発電装置と、電力を消費する負荷装置とを作動させる計画であって、前記負荷装置が電力を消費する時間帯を、電力を消費する時間帯として予め定められた時間帯とは異なる時間帯に変更することによって、前記発電装置が発電する時間帯と、前記発電装置が発電した電力を前記負荷装置が消費する時間帯とが同じとなる計画を、前記発電装置及び前記負荷装置が配置された地域について作成するステップと、
前記発電装置が発電した電力を、作成された前記計画に基づいて前記負荷装置に消費させるステップと、
を含む電力制御方法。
【請求項７】
コンピュータに、
再生可能エネルギーを利用して発電する発電装置と、電力を消費する負荷装置とを作動させる計画であって、前記負荷装置が電力を消費する時間帯を、電力を消費する時間帯として予め定められた時間帯とは異なる時間帯に変更することによって、前記発電装置が発電する時間帯と、前記発電装置が発電した電力を前記負荷装置が消費する時間帯とが同じとなる計画を、前記発電装置及び前記負荷装置が配置された地域について作成する手順と、
前記発電装置が発電した電力を、作成された前記計画に基づいて前記負荷装置に消費させる手順と、
を実行させるための電力制御プログラム。
【発明の詳細な説明】
【技術分野】
【０００１】
本発明の実施形態は、電力制御装置、電力制御方法、及び電力制御プログラムに関する。
【背景技術】
【０００２】
電力システムでは、再生可能エネルギー（renewable energy）を利用して発電する場合がある。しかしながら、従来の技術では、再生可能エネルギーを利用して余剰電力が生じた場合、電力規模が小さい地域では電力系統の電力に変動が生じてしまうため、地域における再生可能エネルギーを活用することができない場合があった。
【先行技術文献】
【特許文献】
【０００３】
【特許文献１】特開２０１３−１６１１４４号公報
【特許文献２】特開２０１３−２３００５１号公報
【発明の概要】
【発明が解決しようとする課題】
【０００４】
本発明が解決しようとする課題は、予め定められた地域における再生可能エネルギーを活用することができる電力制御装置、電力制御方法、及び電力制御プログラムを提供することである。
【課題を解決するための手段】
【０００５】
実施形態の電力制御装置は、計画部と、制御部とを持つ。計画部は、再生可能エネルギーを利用して発電する発電装置と、電力を消費する負荷装置とを作動させる計画であって、負荷装置が電力を消費する時間帯を、電力を消費する時間帯として予め定められた時間帯とは異なる時間帯に変更することによって、発電装置が発電する時間帯と、発電装置が発電した電力を負荷装置が消費する時間帯とが同じとなる計画を、発電装置及び負荷装置が配置された地域について作成する。制御部は、発電装置が発電した電力を、作成された計画に基づいて負荷装置に消費させる。
【図面の簡単な説明】
【０００６】
【図１】一実施形態における、電力システムの構成例の図。
【図２】一実施形態における、再生可能エネルギーシステムに関するデータベースの例の図。
【図３】一実施形態における、需要家システムに関する第１のデータベースの例の図。
【図４】一実施形態における、需要家システムに関する第２のデータベースの例の図。
【図５】一実施形態における、需要家システムに関する修正した第２のデータベースの例の図。
【図６】一実施形態における、電力システムの動作例を示すシーケンス図。
【発明を実施するための形態】
【０００７】
以下、実施形態の電力制御装置、電力制御方法、及び電力制御プログラムを、図面を参照して説明する。
図１は、電力システム１の構成例の図である。電力システム１は、電力会社システム１０と、電力制御装置２０と、再生可能エネルギーシステム３０と、需要家システム４０と、通信回線１００と、電力系統２００とを備える。電力システム１は、複数の需要家システム４０を備えてもよい。すなわち、電力システム１は、需要家システム４０−１〜４０−Ｍ（Ｍは、２以上の整数）を備えてもよい。以下、需要家システム４０−１〜４０−Ｍに共通する事項については、符号の一部を省略して、「需要家システム４０」と表記する。
【０００８】
電力システム１は、例えば、制御依頼処理と、制御計画処理と、制御指示処理と、修正指示処理と、制御結果処理と、インセンティブ処理との順に、各処理を実行する。
制御依頼処理は、再生可能エネルギーシステム３０と需要家システム４０との制御（運用）を、電力会社システム１０が電力制御装置２０に依頼する処理である。
制御計画処理は、再生可能エネルギーシステム３０と需要家システム４０との制御を、電力制御装置２０が計画する処理である。
【０００９】
制御指示処理は、電力制御装置２０が再生可能エネルギーシステム３０の制御を再生可能エネルギーシステム３０等に指示し、需要家システム４０の制御を電力制御装置２０が需要家システム４０等に指示する処理である。
【００１０】
例えば、電力制御装置２０は、通信回線１００を介して、再生可能エネルギーシステム３０にデマンドレスポンス等の制御を直接的に実行させてもよい。また、電力制御装置２０は、電話機を用いて再生可能エネルギーシステム３０のオーナーに連絡することによって、再生可能エネルギーシステム３０にデマンドレスポンス等の制御を間接的に実行させてもよい。
【００１１】
例えば、電力制御装置２０は、通信回線１００を介して、需要家システム４０にデマンドレスポンス等の制御を直接的に実行させてもよい。また、電力制御装置２０は、電話機を用いて需要家に連絡することによって、需要家システム４０にデマンドレスポンス等の制御を間接的に実行させてもよい。
【００１２】
修正指示処理は、再生可能エネルギーシステム３０と需要家システム４０との制御の指示を、電力制御装置２０が修正する処理である。
制御結果処理は、再生可能エネルギーシステム３０と需要家システム４０との制御の結果を、電力制御装置２０が、電力会社システム１０に通知する処理である。
インセンティブ処理は、再生可能エネルギーシステム３０と需要家システム４０との制御の結果に基づいて、電力会社システム１０が、電力制御装置２０にインセンティブを支払う処理である。
【００１３】
次に、電力会社システム１０の構成例を説明する。
電力会社システム１０は、コンピュータ端末やサーバ装置等の情報処理装置を含むシステムである。電力会社システム１０の情報処理装置は、インタフェース１１と、メモリ１２と、記憶装置１３と、処理部１４とを備える。電力会社システム１０は、発電装置１５を更に備える。電力会社システム１０は、電力会社のオペレータによって操作される。
【００１４】
インタフェース１１と、処理部１４とのうち一部または全部は、例えば、ＣＰＵ（Central Processing Unit）等のプロセッサが、メモリ１２に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００１５】
インタフェース１１（通信装置）は、通信回線１００を介して、電力制御装置２０との通信を実行する。例えば、インタフェース１１は、制御依頼処理において、抑制する受電電力量を表す情報を、電力制御装置２０に送信する。抑制する受電電力量は、電力系統２００を介して需要家システム４０に供給される電力の電力量である。抑制する受電電力量は、例えば、電力会社のオペレータによって定められる。
【００１６】
例えば、インタフェース１１は、制御結果処理において、再生可能エネルギーシステム３０の発電量の実績値を表す情報を、電力制御装置２０から受信する。例えば、インタフェース１１は、制御結果処理において、需要家システム４０の消費電力量の実績値を表す情報を、電力制御装置２０から受信する。例えば、インタフェース１１は、制御結果処理において、需要家システム４０の蓄積電力量の実績値を表す情報を、電力制御装置２０から受信する。
【００１７】
メモリ１２は、例えば、ＲＡＭ（Random Access Memory）やレジスタなどの揮発性の記憶媒体を有する。メモリ１２は、例えば、ＲＯＭ（Read Only Memory）、フラッシュメモリ、ＨＤＤ（Hard Disk Drive）などの不揮発性の記憶媒体（非一時的な記憶媒体）を有していてもよい。メモリ１２は、例えば、ソフトウェア機能部を機能させるためのプログラムを記憶する。
記憶装置１３は、例えば、ＲＯＭ、フラッシュメモリ、ＨＤＤなどの不揮発性の記憶媒体（非一時的な記憶媒体）を有する。記憶装置１３は、処理部１４が使用する各種情報を記憶する。
【００１８】
処理部１４は、制御部１４０と、インセンティブ処理部１４１とを備える。制御部１４０は、抑制する受電電力量を表す情報を、制御依頼処理において、インタフェース１１を介して電力制御装置２０に送信する。
【００１９】
インセンティブ処理部１４１は、インセンティブ処理において、電力アグリゲータ（Aggregator，Demand Response Service Provider）に電力会社が支払うインセンティブの金額を算出する。インセンティブ処理部１４１は、電力アグリゲータに電力会社が支払うインセンティブの金額を表す情報を、インセンティブ処理において、インタフェース１１を介して電力制御装置２０に送信する。
【００２０】
発電装置１５は、例えば、火力、水力又は原子力等を利用して発電する装置である。発電装置１５は、制御部１４０による制御に応じて発電する。発電装置１５は、発電した電力を、電力系統２００を介して需要家システム４０に供給する。
【００２１】
電力系統２００は、需要家システム４０に電力を供給する電力供給装置である。電力系統２００は、例えば、電力ケーブルを含む。電力系統２００は、配電用の変電装置を備えてもよい。配電用の変電装置は、予め定められた地域ごとに備えられてもよい。予め定められた地域は、例えば、離島地域である。予め定められた地域の最大電力の値は、特定の電力値に限定されないが、例えば、５０，０００ｋＷ（＝５０ＭＷ）である。最大電力の値が５０ＭＷ以下である場合、電力系統２００の電力の変動は、最大電力の値が５０ＭＷを超える場合と比較して、大きい場合がある。
【００２２】
次に、電力制御装置２０の構成例を説明する。
電力制御装置２０は、コンピュータ端末やサーバ装置等の情報処理装置である。電力制御装置２０の情報処理装置は、インタフェース２１と、メモリ２２と、記憶装置２３と、処理部２４とを備える。電力制御装置２０は、電力アグリゲータのオペレータによって操作される。電力アグリゲータのオペレータは、抑制する受電電力量を表す情報に応じて、電力制御装置２０を操作する。電力アグリゲータのオペレータは、抑制する受電電力量を表す情報に応じて、再生可能エネルギーシステム３０と需要家システム４０とに、デマンドレスポンス（Demand Response）の処理を実行させる。
【００２３】
インタフェース２１と、処理部２４とのうち一部または全部は、例えば、ＣＰＵ等のプロセッサが、メモリ２２に記憶されたプログラムを実行することにより機能するソフトウェア機能部である。また、これらの機能部のうち一部または全部は、ＬＳＩやＡＳＩＣ等のハードウェア機能部であってもよい。
【００２４】
インタフェース２１（通信装置）は、通信回線１００を介して、電力会社システム１０との通信を実行する。インタフェース２１は、通信回線１００を介して、再生可能エネルギーシステム３０との通信を実行する。インタフェース２１は、通信回線１００を介して、需要家システム４０との通信を実行する。
【００２５】
インタフェース２１は、抑制する受電電力量を表す情報を、制御依頼処理において、電力会社システム１０から受信する。インタフェース２１は、抑制する受電電力量を表す情報を、処理部２４に転送する。
【００２６】
インタフェース２１は、再生可能エネルギーシステム３０の発電量（発電が可能である電力量）の計画値を表す情報を、制御指示処理において、再生可能エネルギーシステム３０に送信する。インタフェース２１は、需要家システム４０の蓄積電力量の計画値を表す情報を、制御指示処理において、需要家システム４０に送信する。
【００２７】
インタフェース２１は、再生可能エネルギーシステム３０の発電量の修正した計画値を表す情報を、修正指示処理において、再生可能エネルギーシステム３０に送信する。インタフェース２１は、需要家システム４０の消費電力量の修正した計画値を表す情報を、修正指示処理において、需要家システム４０に送信する。
【００２８】
インタフェース２１は、再生可能エネルギーシステム３０の発電量の実績値を表す情報と、需要家システム４０の消費電力量の実績値を表す情報と、需要家システム４０の蓄積電力量の実績値を表す情報とを、制御結果処理において、電力会社システム１０に送信する。インタフェース２１は、再生可能エネルギーシステム３０の発電量の実績値を表す情報を、制御結果処理において、再生可能エネルギーシステム３０に送信する。インタフェース２１は、需要家システム４０の消費電力量の実績値を表す情報と、需要家システム４０の蓄積電力量の実績値を表す情報とを、制御結果処理において、需要家システム４０に送信する。
【００２９】
インタフェース２１は、インセンティブ処理において、電力アグリゲータに電力会社が支払うインセンティブの金額を表す情報を受信する。インタフェース２１は、インセンティブ処理において、電力アグリゲータにオーナーが支払うインセンティブの金額を表す情報を受信する。電力アグリゲータにインセンティブを支払うオーナーは、例えば、再生可能エネルギーシステム３０のオーナーである。インタフェース２１は、インセンティブ処理において、需要家に支払うインセンティブの金額を表す情報を、需要家システム４０に送信する。需要家に支払うインセンティブは、例えば、需要家システム４０が電力を消費する時間帯を、需要家がずらしたこと（タイムシフトさせたこと）に対して支払うインセンティブである。
【００３０】
メモリ２２は、例えば、ＲＡＭやレジスタなどの揮発性の記憶媒体を有する。メモリ２２は、例えば、ＲＯＭ、フラッシュメモリ、ＨＤＤなどの不揮発性の記憶媒体（非一時的な記憶媒体）を有していてもよい。メモリ２２は、例えば、ソフトウェア機能部を機能させるためのプログラムを記憶する。
【００３１】
記憶装置２３は、例えば、ＲＯＭ、フラッシュメモリ、ＨＤＤなどの不揮発性の記憶媒体（非一時的な記憶媒体）を有する。記憶装置２３は、処理部２４が使用する各種情報を記憶する。例えば、記憶装置２３は、再生可能エネルギーシステム３０に関するデータベースを記憶する。
【００３２】
図２は、再生可能エネルギーシステム３０に関するデータベースの例の図である。再生可能エネルギーシステム３０に関するデータベースでは、再生可能エネルギーシステム３０の発電装置３５（後述する）と、発電装置３５の発電量と、発電装置３５の電力コストと、時間帯とが対応付けられている。電力コストは、例えば、電力取引市場における動向や、電気料金に応じて定まる。時間帯は、例えば、対応付けられた発電装置３５が発電可能であるか否かに応じて定められる。
以下、第１時間帯は、一例として、昼間における予め定められた時間帯である。第２時間帯は、一例として、夜間における予め定められた時間帯である。
【００３３】
図２では、発電装置「風力発電装置」と、発電量「Ｐ１」と、電力コスト「Ｃ１」と、第１時間帯「発電可」と、第２時間帯「発電可」とが、一例として対応付けられている。発電装置「太陽光発電装置」と、発電量「Ｐ２」と、電力コスト「Ｃ２」と、第１時間帯「発電可」と、第２時間帯「発電不可」とが、一例として対応付けられている。
【００３４】
発電装置「揚水発電装置」と、発電量「Ｐ３」と、電力コスト「Ｃ３」と、第１時間帯「発電可」と、第２時間帯「発電不可」とが、一例として対応付けられている。例えば、第１時間帯は、第２時間帯と比較して、ポンプを作動させるための電気料金が高い時間帯である。発電装置「地熱発電装置」と、発電量「Ｐ４」と、電力コスト「Ｃ４」と、第１時間帯「発電可」と、第２時間帯「発電不可」とが、一例として対応付けられている。発電装置「バイオマス発電装置（biomass electrical generator）」と、発電量「Ｐ５」と、電力コスト「Ｃ５」と、第１時間帯「発電可」と、第２時間帯「発電不可」とが、一例として対応付けられている。
【００３５】
例えば、記憶装置２３は、需要家システム４０に関する第１のデータベースを記憶する。第１のデータベースは、電力の負荷となる負荷装置（electric load apparatus）に関するデータベースである。
【００３６】
図３は、需要家システム４０に関する第１のデータベースの例の図である。需要家システム４０に関する第１のデータベースでは、需要家システム４０の負荷装置４５（後述する）と、負荷装置４５の消費電力量と、時間帯とが対応付けられている。時間帯は、例えば、対応付けられた負荷装置４５が作動（駆動）するか又は停止するかに応じて定められる。
【００３７】
図３では、負荷装置「ポンプ」と、消費電力量「Ｎ１」と、第１時間帯「作動」と、第２時間帯「停止」とが、一例として対応付けられている。負荷装置「製氷装置」と、消費電力量「Ｎ２」と、第１時間帯「作動」と、第２時間帯「停止」とが、一例として対応付けられている。負荷装置「空調装置」と、消費電力量「Ｎ３」と、第１時間帯「作動」と、第２時間帯「作動」とが、一例として対応付けられている。負荷装置「照明装置」と、消費電力量「Ｎ４」と、第１時間帯「停止」と、第２時間帯「作動」とが、一例として対応付けられている。
【００３８】
例えば、記憶装置２３は、需要家システム４０に関する第２のデータベースを記憶する。第２のデータベースは、エネルギーを蓄積する蓄エネルギー装置に関するデータベースである。
【００３９】
図４は、需要家システム４０に関する第２のデータベースの例の図である。需要家システム４０に関する第２のデータベースでは、需要家システム４０の蓄エネルギー装置４６（後述する）と、蓄エネルギー装置４６の蓄積電力量と、時間帯とが対応付けられている。時間帯は、例えば、対応付けられた蓄エネルギー装置４６がエネルギーを蓄積するか否かに応じて定められる。
【００４０】
図４では、蓄エネルギー装置「蓄熱装置」と、蓄積電力量「Ａ１」と、第１時間帯「蓄熱」と、第２時間帯「放熱」とが、一例として対応付けられている。蓄エネルギー装置「蓄電池装置」と、蓄積電力量「Ａ２」と、第１時間帯「蓄電」と、第２時間帯「放電」とが、一例として対応付けられている。蓄エネルギー装置「水素貯蔵装置」と、蓄積電力量「Ａ３」と、第１時間帯「貯蔵」と、第２時間帯「放出」とが、一例として対応付けられている。蓄エネルギー装置「貯水池」と、蓄積電力量「Ａ４」と、第１時間帯「流下」と、第２時間帯「揚水」とが、一例として対応付けられている。揚水を利用して発電する場合、上流側の貯水池から、下流側の貯水池に向けて水が流下する。
【００４１】
処理部２４は、計画部２４０と、指示部２４１と、修正部２４２と、制御部２４３と、インセンティブ処理部２４４とを備える。計画部２４０は、制御計画処理において、再生可能エネルギーシステム３０の発電量を、予め定められた地域ごとに予測する。予め定められた地域は、例えば、離島地域である。予め定められた地域の最大電力の値は、特定の電力値に限定されないが、例えば、５０，０００ｋＷ（＝５０ＭＷ）である。計画部２４０は、制御計画処理において、再生可能エネルギーシステム３０の発電量を、時間帯ごとに予測する。
【００４２】
計画部２４０は、再生可能エネルギーシステム３０と、需要家システム４０とを作動させる計画を作成する。例えば、発電装置３５（後述する）が発電する時間帯と、発電装置３５が発電した電力を負荷装置４５（後述する）が消費する時間帯とが同じとなる計画を、発電装置３５及び負荷装置４５が配置された地域について作成する。
【００４３】
作成された計画の情報は、例えば、発電装置３５を作動させるための設定値の情報と、発電装置３５を作動させる時間帯を表す情報とを含む。また、作成された計画の情報は、例えば、負荷装置４５を作動させるための設定値の情報と、負荷装置４５を作動させる時間帯を表す情報とを含む。
【００４４】
計画部２４０は、再生可能エネルギーシステム３０の発電量の予測値と、需要家システム４０の消費電力量の予測値と、電力コスト（経済性）と、抑制する受電電力量とに基づいて、制御計画処理において、再生可能エネルギーシステム３０の発電量の計画値を、予め定められた地域ごとに定める。再生可能エネルギーシステム３０の発電量の計画値は、時間帯ごとに定められる。
【００４５】
計画部２４０は、再生可能エネルギーシステム３０の発電量の予測値と、需要家システム４０の消費電力量の予測値と、電力コストと、抑制する受電電力量とに基づいて、制御計画処理において、需要家システム４０の消費電力量の計画値を、予め定められた地域ごとに定める。需要家システム４０の消費電力量の計画値は、時間帯ごとに定められる。
【００４６】
例えば、計画部２４０は、負荷装置４５（後述する）が作動して電力を消費する時間帯を、図３に示す予め定められた時間帯とは異なる時間帯に変更することによって、発電装置３５（後述する）が発電する時間帯と、発電装置３５が発電した電力を負荷装置４５が消費する時間帯とが同じとなる計画を作成してもよい。
【００４７】
計画部２４０は、需要家システム４０の消費電力量の計画値に基づいて、制御計画処理において、需要家システム４０の蓄積電力量の計画値を、予め定められた地域ごとに定める。需要家システム４０の蓄積電力量の計画値は、時間帯ごとに定められる。
【００４８】
例えば、計画部２４０は、蓄エネルギー装置４６（後述する）が作動して電力を蓄積する時間帯を、図４に示す予め定められた時間帯とは異なる時間帯に変更することによって、発電装置３５（後述する）が発電する時間帯と、発電装置３５が発電した電力に基づくエネルギーを蓄エネルギー装置４６が蓄積する時間帯とが同じとなる計画を作成してもよい。
【００４９】
なお、計画部２４０は、定めた制御計画の情報を、電力会社システム１０と、再生可能エネルギーシステム３０と、需要家システム４０との間で、必要に応じて共有してもよい。
【００５０】
指示部２４１は、再生可能エネルギーシステム３０の発電量の計画値を表す情報を、制御指示処理において、インタフェース２１を介して再生可能エネルギーシステム３０に送信する。指示部２４１は、需要家システム４０の消費電力量の計画値を表す情報と、需要家システム４０の蓄積電力量の計画値を表す情報とを、制御指示処理において、インタフェース２１を介して需要家システム４０に送信する。
【００５１】
修正部２４２は、再生可能エネルギーシステム３０の発電量の実績値と、需要家システム４０の消費電力量の実績値と、需要家システム４０の蓄積電力量の実績値とを、修正指示処理において、インタフェース２１を介して監視する。例えば、修正部２４２は、発電装置３５（後述する）の発電量の実績値と、負荷装置４５（後述する）の消費電力量の実績値と、蓄エネルギー装置４６（energy accumulator）（後述する）の蓄積電力量の実績値とを監視する。
【００５２】
修正部２４２は、計画部２４０によって作成された計画を、負荷装置４５が消費した電力の値（実績値）に基づいて修正する。修正部２４２は、発電装置３５の発電量及び負荷装置４５の消費電力量の計画値と、発電装置３５の発電量及び負荷装置４５の消費電力量の実績値との差が閾値未満となるように、計画を修正する。
【００５３】
以下、需要家システム４０の消費電力量と、需要家システム４０の蓄積電力量との少なくとも一方を、「需要家システム４０の電力量」という。以下、再生可能エネルギーシステム３０の発電量と、需要家システム４０の消費電力量と、需要家システム４０の蓄積電力量との少なくとも一方を、「再生可能エネルギーシステム３０及び需要家システム４０の電力量」という。
【００５４】
修正部２４２は、再生可能エネルギーシステム３０及び需要家システム４０の電力量の計画値（以下、「電力量計画値」という。）と、再生可能エネルギーシステム３０及び需要家システム４０の電力量の実績値（以下、「電力量実績値」という。）との差が、閾値以上であるか否かを、修正指示処理において判定する。
【００５５】
修正部２４２は、電力量計画値と電力量実績値との差が閾値以上である場合、電力量計画値と電力量実績値との差が閾値未満となるように、修正指示処理において、再生可能エネルギーシステム３０の発電量の計画値を修正する。修正部２４２は、再生可能エネルギーシステム３０の発電量の修正した計画値を表す情報を、インタフェース２１を介して再生可能エネルギーシステム３０に送信する。
【００５６】
なお、修正部２４２は、再生可能エネルギーシステム３０の発電量の修正した計画値を表す情報に基づいて、再生可能エネルギーシステム３０に関するデータベース（図２を参照）を修正してもよい。
【００５７】
修正部２４２は、電力量計画値と電力量実績値との差が閾値以上である場合、電力量計画値と、電力量実績値との差が閾値未満となるように、修正指示処理において、需要家システム４０の消費電力量の計画値を修正する。修正部２４２は、需要家システム４０の消費電力量の修正した計画値を表す情報を、インタフェース２１を介して需要家システム４０に送信する。
【００５８】
なお、修正部２４２は、需要家システム４０の消費電力量の修正した計画値を表す情報に基づいて、需要家システム４０に関する第１のデータベース（図３を参照）を修正してもよい。
【００５９】
修正部２４２は、電力量計画値と電力量実績値との差が閾値以上である場合、電力量計画値と、電力量実績値との差が閾値未満となるように、修正指示処理において、需要家システム４０の蓄積電力量の計画値を修正する。修正部２４２は、需要家システム４０の蓄積電力量の修正した計画値を表す情報を、インタフェース２１を介して需要家システム４０に送信する。
【００６０】
修正部２４２は、需要家システム４０の蓄積電力量の修正した計画値を表す情報に基づいて、需要家システム４０に関する第２のデータベース（図４を参照）を修正してもよい。
【００６１】
図５は、一実施形態における、需要家システム４０に関する修正した第２のデータベースの例の図である。修正部２４２は、再生可能エネルギーによる発電がより多くの発電装置によって可能な時間帯に貯水池に揚水するように、需要家システム４０に関する第２のデータベースを修正する。
【００６２】
例えば、図２に示すように、第１時間帯は、第２時間帯と比較して、再生可能エネルギーによる発電がより多くの発電装置によって可能な時間帯である。このため、図５に示す例では、修正部２４２は、蓄エネルギー装置「貯水池」に、第１時間帯「揚水」と、第２時間帯「流下」とを対応づける。すなわち、修正部２４２は、電気料金等の電力コストが第２時間帯と比較して高い第１時間帯であっても、再生可能エネルギーによる発電がより多くの発電装置によって可能な時間帯である第１時間帯に、貯水池に揚水するように、需要家システム４０に関する第２のデータベースを修正する。これにより、修正部２４２は、需要家システム４０に関する第２のデータベースに基づいて、第１時間帯における蓄電電力量を増加させることができる。
【００６３】
なお、修正部２４２は、再生可能エネルギーシステム３０の発電量の修正した計画値の情報と、需要家システム４０の消費電力量の計画値の修正した情報と、需要家システム４０の蓄積電力量の計画値の修正した情報とを、電力会社システム１０と、再生可能エネルギーシステム３０と、需要家システム４０との間で、必要に応じて共有してもよい。
【００６４】
制御部２４３は、再生可能エネルギーシステム３０の発電量の実績値を表す情報と、需要家システム４０の消費電力量の実績値を表す情報と、需要家システム４０の蓄積電力量の実績値を表す情報とを、制御結果処理において、インタフェース２１を介して電力会社システム１０に送信する。
【００６５】
制御部２４３は、再生可能エネルギーシステム３０の発電量の実績値を表す情報を、制御結果処理において、インタフェース２１を介して再生可能エネルギーシステム３０に送信する。
制御部２４３は、需要家システム４０の消費電力量の実績値を表す情報と、需要家システム４０の蓄積電力量の実績値を表す情報とを、制御結果処理において、インタフェース２１を介して需要家システム４０に送信する。
【００６６】
インセンティブ処理部２４４は、電力アグリゲータに電力会社が支払うインセンティブの金額を表す情報を、インセンティブ処理において、インタフェース２１を介して電力会社システム１０から取得する。インセンティブ処理部２４４は、電力アグリゲータにオーナーが支払うインセンティブの金額を表す情報を、インセンティブ処理において、インタフェース２１を介して再生可能エネルギーシステム３０から取得する。
【００６７】
電力アグリゲータにオーナーが支払うインセンティブの金額は、例えば、電力アグリゲータによる制御によって増加した再生可能エネルギーシステム３０の発電量に応じた金額である。
【００６８】
インセンティブ処理部２４４は、需要家システム４０の消費電力量の実績値と、需要家システム４０の蓄積電力量の実績値とに基づいて、需要家に支払うインセンティブの金額を算出する。例えば、インセンティブ処理部２４４は、電力アグリゲータに電力会社が支払うインセンティブの金額と、電力アグリゲータにオーナーが支払うインセンティブの金額との合計額を上限として、需要家に支払うインセンティブの金額を算出してもよい。
インセンティブ処理部２４４は、需要家に支払うインセンティブの金額を表す情報を、インタフェース２１を介して需要家システム４０に送信する。
【００６９】
次に、再生可能エネルギーシステム３０の構成例を説明する。
再生可能エネルギーシステム３０は、コンピュータ端末やサーバ装置等の情報処理装置を含むシステムである。再生可能エネルギーシステム３０の情報処理装置は、インタフェース３１と、メモリ３２と、記憶装置３３と、処理部３４とを備える。再生可能エネルギーシステム３０は、発電装置３５を更に備える。再生可能エネルギーシステム３０は、電力制御装置２０から受信した情報に応じて、デマンドレスポンスを実行する。
【００７０】
再生可能エネルギーシステム３０は、予め定められた地域ごとに備えられる。予め定められた地域は、例えば、離島地域である。例えば、再生可能エネルギーシステム３０は、電力系統２００の配電用の変電装置ごとに備えられてもよい。
【００７１】
インタフェース３１と、処理部３４とのうち一部または全部は、例えば、ＣＰＵ等のプロセッサが、メモリ３２に記憶されたプログラムを実行することにより機能するソフトウェア機能部である。また、これらの機能部のうち一部または全部は、ＬＳＩやＡＳＩＣ等のハードウェア機能部であってもよい。
【００７２】
インタフェース３１（通信装置）は、通信回線１００を介して、電力制御装置２０との通信を実行する。
インタフェース３１は、再生可能エネルギーシステム３０の発電量の計画値を表す情報を、制御指示処理において、電力制御装置２０から受信する。インタフェース３１は、再生可能エネルギーシステム３０の発電量の修正した計画値を表す情報を、修正指示処理において、電力制御装置２０から受信する。インタフェース３１は、再生可能エネルギーシステム３０の発電量の実績値を表す情報を、制御結果処理において、電力制御装置２０から受信する。
【００７３】
インタフェース３１は、電力アグリゲータにオーナーが支払うインセンティブの金額を表す情報を、インセンティブ処理において、処理部３４から取得する。インタフェース３１は、電力アグリゲータにオーナーが支払うインセンティブの金額を表す情報を、インセンティブ処理において、電力制御装置２０に送信する。
【００７４】
メモリ３２は、例えば、ＲＡＭやレジスタなどの揮発性の記憶媒体を有する。メモリ３２は、例えば、ＲＯＭ、フラッシュメモリ、ＨＤＤなどの不揮発性の記憶媒体（非一時的な記憶媒体）を有していてもよい。メモリ３２は、例えば、ソフトウェア機能部を機能させるためのプログラムを記憶する。
記憶装置３３は、例えば、ＲＯＭ、フラッシュメモリ、ＨＤＤなどの不揮発性の記憶媒体（非一時的な記憶媒体）を有する。記憶装置３３は、処理部３４が使用する各種情報を記憶する。
【００７５】
処理部３４は、指示部３４１と、修正部３４２と、制御部３４３と、インセンティブ処理部３４４とを備える。
指示部３４１は、再生可能エネルギーシステム３０の発電量の計画値を表す情報に基づいて、制御指示処理において、発電装置３５を制御する。例えば、指示部３４１は、発電装置３５の発電量の計画値を表す情報に基づいて、発電装置３５を制御する。
【００７６】
修正部３４２は、再生可能エネルギーシステム３０の発電量の修正した計画値を表す情報に基づいて、修正指示処理において、発電装置３５を制御する。例えば、修正部３４２は、発電装置３５の発電量の修正した計画値を表す情報に基づいて、発電装置３５を制御する。
【００７７】
制御部３４３は、再生可能エネルギーシステム３０の発電量の実績値を表す情報を、制御結果処理において、インセンティブ処理部３４４に出力する。例えば、制御部３４３は、発電装置３５の発電量の実績値を表す情報を、インセンティブ処理部３４４に出力する。
【００７８】
インセンティブ処理部３４４は、電力アグリゲータにオーナーが支払うインセンティブの金額を、インセンティブ処理において、発電装置３５の発電量の実績値を表す情報に基づいて算出する。例えば、インセンティブ処理部３４４は、電力アグリゲータによるデマンドレスポンスによる発電装置３５の発電量の増加量に応じて、電力アグリゲータにオーナーが支払うインセンティブの金額を算出する。
【００７９】
発電装置３５は、風力、太陽光、地熱又はバイオマス等の再生可能エネルギーを利用して発電する装置である。発電装置３５は、揚水発電（Pumped-storage hydroelectricity）を実行する装置でもよい。発電装置３５は、処理部３４による制御に応じて発電する。発電装置３５は、発電した電力を、電力系統２００を介して需要家システム４０に供給する。発電装置３５が出力する電力の値は、特定の電力値に限定されないが、例えば、４，０００ｋＷ（＝４ＭＷ）である。
【００８０】
次に、需要家システム４０の構成例を説明する。
需要家システム４０は、コンピュータ端末やサーバ装置等の情報処理装置を含むシステムである。需要家システム４０の情報処理装置は、インタフェース４１と、メモリ４２と、記憶装置４３と、処理部４４とを備える。需要家システム４０は、負荷装置４５と、蓄エネルギー装置４６とを更に備える。需要家システム４０は、電力制御装置２０による制御に応じて、デマンドレスポンスを実行する。需要家システム４０は、作動させる時間帯をずらすことによって、電力を消費する時間帯をずらす（タイムシフトさせる）ことが可能な装置を備える。
【００８１】
需要家システム４０は、予め定められた地域ごとに備えられる。予め定められた地域は、例えば、離島地域である。需要家システム４０は、再生可能エネルギーシステム３０と同じ地域に備えられてもよい。例えば、需要家システム４０は、電力系統２００の配電用の変電装置ごとに備えられてもよい。需要家システム４０は、離島地域等の予め定められた地域における再生可能エネルギーによる発電量を、その地域で消費することができる。
【００８２】
インタフェース４１と、処理部４４とのうち一部または全部は、例えば、ＣＰＵ等のプロセッサが、メモリ１２に記憶されたプログラムを実行することにより機能するソフトウェア機能部である。また、これらの機能部のうち一部または全部は、ＬＳＩやＡＳＩＣ等のハードウェア機能部であってもよい。
【００８３】
インタフェース４１（通信装置）は、通信回線１００を介して、電力制御装置２０との通信を実行する。
インタフェース４１は、需要家システム４０の消費電力量の計画値を表す情報と、需要家システム４０の蓄積電力量の計画値を表す情報とを、制御指示処理において、電力制御装置２０から受信する。インタフェース４１は、需要家システム４０の消費電力量の修正した計画値を表す情報と、需要家システム４０の蓄積電力量の修正した計画値を表す情報を、修正指示処理において、電力制御装置２０から受信する。
【００８４】
インタフェース４１は、需要家システム４０の消費電力量の実績値を表す情報と、需要家システム４０の蓄積電力量の実績値を表す情報とを、制御結果処理において、電力制御装置２０から受信する。インタフェース４１は、需要家に支払うインセンティブの金額を表す情報を、インセンティブ処理において、電力制御装置２０から受信する。
【００８５】
メモリ４２は、例えば、ＲＡＭやレジスタなどの揮発性の記憶媒体を有する。メモリ１２は、例えば、ＲＯＭ、フラッシュメモリ、ＨＤＤなどの不揮発性の記憶媒体（非一時的な記憶媒体）を有していてもよい。メモリ４２は、例えば、ソフトウェア機能部を機能させるためのプログラムを記憶する。
記憶装置４３は、例えば、ＲＯＭ、フラッシュメモリ、ＨＤＤなどの不揮発性の記憶媒体（非一時的な記憶媒体）を有する。記憶装置４３は、処理部４４が使用する各種情報を記憶する。記憶装置４３は、例えば、需要家に支払うインセンティブの金額を表す情報を記憶する。
【００８６】
処理部４４は、指示部４４１と、修正部４４２と、制御部４４３と、インセンティブ処理部４４４とを備える。
指示部４４１は、需要家システム４０の消費電力量の計画値を表す情報と、需要家システム４０の蓄積電力量の計画値を表す情報とに基づいて、制御指示処理において、需要家システム４０を制御する。例えば、指示部４４１は、負荷装置４５の消費電力量の計画値を表す情報と、蓄エネルギー装置４６の蓄積電力量の計画値を表す情報とに基づいて、負荷装置４５と蓄エネルギー装置４６とを制御する。
【００８７】
修正部４４２は、蓄エネルギー装置４６の蓄積電力量の修正した計画値を表す情報に基づいて、修正指示処理において、蓄エネルギー装置４６を制御する。
制御部４４３は、負荷装置４５の消費電力量の実績値を表す情報と、蓄エネルギー装置４６の蓄積電力量の実績値を表す情報とを、制御結果処理において、需要家のオペレータに通知する。
インセンティブ処理部４４４は、インセンティブ処理において、需要家に支払うインセンティブの金額を表す情報を、需要家のオペレータに通知する。
【００８８】
負荷装置４５は、指示部４４１及び修正部４４２による制御に応じて、電力系統２００から供給された電力を消費する装置である。負荷装置４５は、例えば、ポンプ、製氷装置、空調装置又は照明装置である。負荷装置４５は、指示部４４１及び修正部４４２による制御に応じて、蓄エネルギー装置４６から供給された電力を消費する。すなわち、負荷装置４５は、作動する時間帯をずらすことによって、供給された電力を消費する時間帯をずらす（タイムシフトさせる）ことが可能な装置である。
【００８９】
なお、負荷装置４５は、蓄エネルギー装置４６から供給された水素を使用して発電する燃料電池でもよい。負荷装置４５が農業用の散水ポンプである場合、指示部４４１及び修正部４４２は、散水ポンプが作動する時間帯をずらしてもよい。負荷装置４５が揚水発電用のポンプである場合、指示部４４１及び修正部４４２は、貯水池（reservoir）のポンプが作動する時間帯をずらしてもよい。
【００９０】
蓄エネルギー装置４６は、指示部４４１及び修正部４４２による制御に応じて、電力等のエネルギーを蓄積及び出力する装置である。蓄エネルギー装置４６は、例えば、蓄熱装置（heat accumulator）、蓄電池装置（rechargeable battery apparatus）、水素貯蔵装置（hydrogen storage apparatus）又は貯水池である。蓄エネルギー装置４６は、指示部４４１及び修正部４４２による制御に応じて、負荷装置４５に電力を供給する。すなわち、蓄エネルギー装置４６は、電力系統２００を介して負荷装置４５に供給された電力を負荷装置４５が消費する時間帯を、ずらす（タイムシフトさせる）ことが可能な装置である。
【００９１】
蓄エネルギー装置４６が備えられた地域の漁港で、蓄エネルギー装置４６が魚を冷凍するために氷を製造する場合、蓄エネルギー装置４６は、氷を製造する時間帯をずらしてもよい。蓄エネルギー装置４６は、蓄熱システムである場合、熱を蓄えてもよい。蓄エネルギー装置４６は、定置型蓄電池や、電気自動車の蓄電池に電力を蓄えてもよい。蓄エネルギー装置４６は、水素を生成し、燃料電池等の発電装置３５による発電や、燃料電池車等の負荷装置４５の駆動などに水素を利用してもよい。
【００９２】
なお、蓄エネルギー装置４６は、再生可能エネルギーシステム３０に備えられてもよい。蓄エネルギー装置４６が再生可能エネルギーシステム３０に備えられた場合、蓄エネルギー装置４６は、指示部３４１及び修正部３４２による制御に応じて、電力等のエネルギーを蓄積及び出力してもよい。
【００９３】
次に、電力システム１の動作例を説明する。
図６は、電力システム１の動作例のシーケンス図である。
電力会社システム１０の制御部１４０は、抑制する受電電力量を表す情報を、インタフェース１１を介して電力制御装置２０に送信する（ステップＳ１０１）。
電力制御装置２０のインタフェース２１は、抑制する受電電力量を表す情報を受信する（ステップＳ１０２）。ステップＳ１０１からステップＳ１０２までの処理は、制御依頼処理として実行される。
【００９４】
制御依頼処理の次に、電力制御装置２０の計画部２４０は、発電装置３５の発電量を、地域ごとに予測する（ステップＳ１０３）。
計画部２４０は、負荷装置４５の消費電力量を、地域ごとに定める（ステップＳ１０４）。
計画部２４０は、発電装置３５の発電量の予測値と、負荷装置４５の消費電力量の計画値と、電力コストと、抑制する受電電力量とに基づいて、発電装置３５と負荷装置４５と蓄エネルギー装置４６との電力量の計画値を、地域ごとに定める（ステップＳ１０５）。ステップＳ１０３からステップＳ１０５までの処理は、制御計画処理として実行される。
【００９５】
制御計画処理の次に、電力制御装置２０の指示部２４１は、発電装置３５の発電量の計画値を表す情報を、インタフェース２１を介して再生可能エネルギーシステム３０に送信する（ステップＳ１０６）。
再生可能エネルギーシステム３０の指示部３４１は、発電装置３５の発電量の計画値を表す情報に基づいて、発電装置３５を制御する（ステップＳ１０７）。
【００９６】
電力制御装置２０の指示部２４１は、負荷装置４５の消費電力量の計画値を表す情報と、蓄エネルギー装置４６の蓄積電力量の計画値を表す情報とを、インタフェース２１を介して需要家システム４０に送信する（ステップＳ１０８）。
需要家システム４０の指示部４４１は、負荷装置４５の消費電力量の計画値を表す情報と、蓄エネルギー装置４６の蓄積電力量の計画値を表す情報とに基づいて、負荷装置４５と蓄エネルギー装置４６とを制御する（ステップＳ１０９）。ステップＳ１０６からステップＳ１０９までの処理は、制御指示処理として実行される。
【００９７】
制御指示処理の次に、電力制御装置２０の修正部２４２は、発電装置３５の発電量の実績値と、負荷装置４５の消費電力量の実績値と、蓄エネルギー装置４６の蓄積電力量の実績値とを監視する（ステップＳ１１０）。
修正部２４２は、発電装置３５と負荷装置４５と蓄エネルギー装置４６との電力量の計画値（電力量計画値）と、発電装置３５と負荷装置４５と蓄エネルギー装置４６との電力量の実績値（電力量実績値）との差が、閾値以上であるか否かを判定する（ステップＳ１１１）。電力量計画値と電力量実績値との差が閾値未満である場合（ステップＳ１１１：ＮＯ）、修正部２４２は、ステップＳ１１４に処理を進める。
【００９８】
発電装置３５と負荷装置４５と蓄エネルギー装置４６との電力量の計画値と、発電装置３５と負荷装置４５と蓄エネルギー装置４６との電力量の実績値との差が閾値以上である場合（ステップＳ１１１：ＹＥＳ）、修正部２４２は、電力量計画値と電力量実績値との差が閾値未満となるように、発電装置３５の発電量の計画値を修正する。修正部２４２は、発電装置３５の発電量の修正した計画値を表す情報を、インタフェース２１を介して再生可能エネルギーシステム３０に送信する（ステップＳ１１２）。
再生可能エネルギーシステム３０の修正部３４２は、発電装置３５の発電量の修正した計画値を表す情報に基づいて、発電装置３５を制御する（ステップＳ１１３）。
【００９９】
修正部２４２は、電力量計画値と電力量実績値との差が閾値未満となるように、負荷装置４５の消費電力量の計画値を修正する。修正部２４２は、負荷装置４５の消費電力量の修正した計画値を表す情報を、インタフェース２１を介して需要家システム４０に送信する。修正部２４２は、電力量計画値と電力量実績値との差が閾値未満となるように、蓄エネルギー装置４６の蓄積電力量の計画値を修正する。修正部２４２は、蓄エネルギー装置４６の蓄積電力量の修正した計画値を表す情報を、インタフェース２１を介して需要家システム４０に送信する（ステップＳ１１４）。
【０１００】
需要家システム４０の修正部４４２は、負荷装置４５の消費電力量の修正した計画値を表す情報に基づいて、負荷装置４５を制御する。修正部４４２は、蓄エネルギー装置４６の蓄積電力量の修正した計画値を表す情報に基づいて、蓄エネルギー装置４６を制御する（ステップＳ１１５）。ステップＳ１１０からステップＳ１１５までの処理は、修正指示処理として実行される。
【０１０１】
修正指示処理の次に、電力制御装置２０の制御部２４３は、発電装置３５の発電量の実績値を表す情報と、負荷装置４５の消費電力量の実績値を表す情報と、蓄エネルギー装置４６の蓄積電力量の実績値を表す情報とを、インタフェース２１を介して電力会社システム１０に送信する（ステップＳ１１６）。
電力会社システム１０のインタフェース１１は、発電装置３５の発電量の実績値を表す情報と、負荷装置４５の消費電力量の実績値を表す情報と、蓄エネルギー装置４６の蓄積電力量の実績値を表す情報とを受信する（ステップＳ１１７）。
【０１０２】
電力制御装置２０の制御部２４３は、発電装置３５の発電量の実績値を表す情報を、インタフェース２１を介して再生可能エネルギーシステム３０に送信する（ステップＳ１１８）。
再生可能エネルギーシステム３０のインタフェース３１は、発電装置３５の発電量の実績値を表す情報を受信する（ステップＳ１１９）。
【０１０３】
電力制御装置２０の制御部２４３は、負荷装置４５の消費電力量の実績値を表す情報と、蓄エネルギー装置４６の蓄積電力量の実績値を表す情報とを、インタフェース２１を介して需要家システム４０に送信する（ステップＳ１２０）。
需要家システム４０のインタフェース４１は、負荷装置４５の消費電力量の実績値を表す情報と、蓄エネルギー装置４６の蓄積電力量の実績値を表す情報とを受信する（ステップＳ１２１）。ステップＳ１１６からステップＳ１２１までの処理は、制御結果処理として実行される。
【０１０４】
制御結果処理の次に、電力会社システム１０のインセンティブ処理部１４１は、電力アグリゲータに電力会社が支払うインセンティブの金額を算出し、電力アグリゲータに電力会社が支払うインセンティブの金額を表す情報を、インタフェース１１を介して電力制御装置２０に送信する（ステップＳ１２２）。
電力制御装置２０のインタフェース２１は、電力アグリゲータに電力会社が支払うインセンティブの金額を表す情報を受信する（ステップＳ１２３）。
【０１０５】
再生可能エネルギーシステム３０のインセンティブ処理部３４４は、電力アグリゲータにオーナーが支払うインセンティブの金額を、発電装置３５の発電量の実績値を表す情報に基づいて算出する。インセンティブ処理部３４４は、電力アグリゲータにオーナーが支払うインセンティブの金額を表す情報を、インタフェース３１を介して電力制御装置２０に送信する（ステップＳ１２４）。
電力制御装置２０のインタフェース２１は、電力アグリゲータにオーナーが支払うインセンティブの金額を表す情報を受信する（ステップＳ１２５）。
【０１０６】
電力制御装置２０のインセンティブ処理部２４４は、負荷装置４５の消費電力量の実績値と、蓄エネルギー装置４６の蓄積電力量の実績値とに基づいて、需要家に支払うインセンティブの金額を表す情報を、インタフェース２１を介して需要家システム４０に送信する（ステップＳ１２６）。
需要家システム４０のインタフェース４１は、需要家に支払うインセンティブの金額を表す情報を、電力制御装置２０から受信する（ステップＳ１２７）。ステップＳ１２３からステップＳ１２７までの処理は、インセンティブ処理として実行される。
【０１０７】
以上のように、実施形態の電力制御装置２０は、計画部２４０と、制御部２４３とを持つ。計画部２４０は、負荷装置４５が電力を消費する時間帯を、電力を消費する時間帯として予め定められた時間帯とは異なる時間帯に変更することによって、発電装置３５が発電する時間帯と、発電装置３５が発電した電力を負荷装置４５が消費する時間帯とが同じとなる計画を作成する。計画部２４０は、発電装置３５及び負荷装置４５が配置された地域について、計画を作成する。制御部２４３は、発電装置３５が発電した電力を、作成された計画に基づいて負荷装置４５に消費させる。
これによって、実施形態の電力制御装置２０、電力制御方法、及び電力制御プログラムは、電力規模の小さい離島等の地域における再生可能エネルギーを活用することができる。
【０１０８】
実施形態の電力制御装置２０、電力制御方法、及び電力制御プログラムは、離島地域等の予め定められた地域における再生可能エネルギーによる発電量を、その地域で消費する（地産地消する）ことができる。
実施形態の電力制御装置２０、電力制御方法、及び電力制御プログラムは、地域全体の最適化の観点から、各地域の需要家が備える蓄電池などを有効に使うことによって、その地域に見合った再生可能エネルギーを、効率よく活用することができる。
【０１０９】
実施形態の電力制御装置２０、電力制御方法、及び電力制御プログラムは、需要家における再生可能エネルギーの導入を、促進させることができる。
実施形態の電力アグリゲータは、電力会社からの依頼に応じて、需要家の装置にデマンドレスポンスを実行させることによって、インセンティブの支払いを電力会社から受けることができる。
【０１１０】
実施形態の電力制御装置２０、電力制御方法、及び電力制御プログラムは、再生可能エネルギーを利用した発電量の変動や、離島等における電力系統の電力の変動を抑制することができる。実施形態の電力制御装置２０、電力制御方法、及び電力制御プログラムは、再生可能エネルギーを利用した発電量が安定しない場合でも、電力系統２００を安定化させることができる。
【０１１１】
実施形態の電力制御装置２０、電力制御方法、及び電力制御プログラムは、電力会社の発電装置１５の出力を下限値まで下げた場合に、再生可能エネルギーを利用した発電を制限する必要がある場合でも、予め定められた地域において、再生可能エネルギーを利用して発電された電力を消費させることができる。
【０１１２】
実施形態の電力制御装置２０、電力制御方法、及び電力制御プログラムは、電力需要が高くなる時期に、再び連系開閉器をオンする手間を省くことができる。実施形態の電力制御装置２０、電力制御方法、及び電力制御プログラムは、インセンティブの支払いを受けることができる。
【０１１３】
以上述べた少なくともひとつの実施形態によれば、再生可能エネルギーを利用して発電する発電装置と、電力を消費する負荷装置とを作動させる計画であって、発電装置が発電する時間帯と、発電装置が発電した電力を負荷装置が消費する時間帯とが同じとなる計画を、発電装置及び負荷装置が配置された地域について作成する計画部を持つことにより、予め定められた地域における再生可能エネルギーを活用することができる。
【０１１４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１５】
１…電力システム、１０…電力会社システム、１１…インタフェース、１２…メモリ、１３…記憶装置、１４…処理部、１５…発電装置、２０…電力制御装置、２１…インタフェース、２２…メモリ、２３…記憶装置、２４…処理部、３０…再生可能エネルギーシステム、３１…インタフェース、３２…メモリ、３３…記憶装置、３４…処理部、３５…発電装置、４０…需要家システム、４１…インタフェース、４２…メモリ、４３…記憶装置、４４…処理部、４５…負荷装置、４６…蓄エネルギー装置、１００…通信回線、１４０…制御部、１４１…インセンティブ処理部、２００…電力系統、２４０…計画部、２４１…指示部、２４２…修正部、２４３…制御部、２４４…インセンティブ処理部、３４１…指示部、３４２…修正部、３４３…制御部、３４４…インセンティブ処理部、４４１…指示部、４４２…修正部、４４３…制御部、４４４…インセンティブ処理部
【図１】
2016163488.tif 000003
【図２】
2016163488.tif 000004
【図３】
2016163488.tif 000005
【図４】
2016163488.tif 000006
【図５】
2016163488.tif 000007
【図６】
2016163488.tif 000008